(57)【特許請求の範囲】
【請求項１】
表示手段に表示されるページに所定の広告を表示させる広告表示制御手段と、
第１ページが表示された状態で次の第２ページの取得要求を検出する検出手段と、
前記検出手段により取得要求が検出された前記第２ページを取得する取得手段と、
前記取得手段により前記第２ページを読み込み中、前記第１ページ及び第２ページの少なくとも一方に前記広告表示制御手段により表示される所定の広告と関連する関連画像を前記表示手段に表示させる関連画像表示制御手段と、
を備え、
前記関連画像は、前記所定の広告と異なる画像であることを特徴とする情報処理装置。
【請求項２】
前記広告表示制御手段は、前記表示手段に表示される前記第１ページ及び前記第２ページの両方に所定の広告を表示させることを特徴とする請求項１に記載の情報処理装置。
【請求項３】
前記関連画像は、動画であって、
前記関連画像表示制御手段は、所定の条件を満たす場合に、前記関連画像の動作を変化させることを特徴とする請求項１又は２に記載の情報処理装置。
【請求項４】
前記広告表示制御手段は、前記表示手段に表示される第１ページ及び第２ページの少なくとも一方に所定の複数の広告を表示させ、
前記関連画像表示制御手段は、前記広告表示制御手段により表示される複数の広告のそれぞれと関連する複数の関連画像を表示させることを特徴とする請求項１〜３のいずれか一項に記載の情報処理装置。
【請求項５】
情報処理装置の情報処理方法であって、
表示手段に表示されるページに所定の広告を表示させるステップと、
第１ページが表示された状態で次の第２ページの取得要求を検出するステップと、
前記取得要求が検出された前記第２ページを取得するステップと、
前記第２ページを読み込み中、前記第１ページ及び第２ページの少なくとも一方に前記表示される所定の広告と関連する関連画像を前記表示手段に表示させるステップと、
を含み、
前記関連画像は、前記所定の広告と異なる画像であることを特徴とする情報処理方法。
【請求項６】
コンピュータを、
表示手段に表示されるページに所定の広告を表示させる広告表示制御手段、
第１ページが表示された状態で次の第２ページの取得要求を検出する検出手段、
前記検出手段により取得要求が検出された前記第２ページを取得する取得手段、
前記取得手段により前記第２ページを読み込み中、前記第１ページ及び第２ページの少なくとも一方に前記広告表示制御手段により表示される所定の広告と関連する関連画像を前記表示手段に表示させる関連画像表示制御手段、
として機能させ、
前記関連画像は、前記所定の広告と異なる画像であることを特徴とするプログラム。
【発明の詳細な説明】
【技術分野】
【０００１】
本発明は、情報処理装置、情報処理方法及びプログラムに関する。
【背景技術】
【０００２】
従来、携帯端末等の端末装置でウェブページやコンテンツをダウンロードする最中に、ユーザが退屈することを防止すべく、広告などの他のコンテンツを表示させる技術が知られている。
具体的には、携帯端末の利用者がコンテンツプロバイダのサイトから着メロ(登録商標)や画像、動画などの様々なデジタルコンテンツをダウンロードする最中に、広告を表示させる技術が開示されている（例えば、特許文献１参照）。
【先行技術文献】
【特許文献】
【０００３】
【特許文献１】特開２００５−２９３３２８号公報
【発明の概要】
【発明が解決しようとする課題】
【０００４】
しかしながら、上記従来の技術では、コンテンツのダウンロードに比較的時間を要することもあり、広告を表示させる時間を十分確保することができるが、上記従来技術をウェブページのダウンロードに適用しようとした場合、比較的短時間でダウンロード可能であることから、時間的制約により広告を表示させることが困難であり、未だ活用されていないのが現状である。
【０００５】
本発明は、ユーザの興味や関心を引き付けて広告効果を向上させることが可能な情報処理装置、情報処理方法及びプログラムを提供することを目的とする。
【課題を解決するための手段】
【０００６】
請求項１に記載の発明は、上記目的を達成するためになされたものであり、
情報処理装置において、
表示手段に表示されるページに所定の広告を表示させる広告表示制御手段と、
第１ページが表示された状態で次の第２ページの取得要求を検出する検出手段と、
前記検出手段により取得要求が検出された前記第２ページを取得する取得手段と、
前記取得手段により前記第２ページを読み込み中、前記第１ページ及び第２ページの少なくとも一方に前記広告表示制御手段により表示される所定の広告と関連する関連画像を前記表示手段に表示させる関連画像表示制御手段と、
を備え、
前記関連画像は、前記所定の広告と異なる画像であることを特徴とする。
【０００７】
請求項２に記載の発明は、請求項１に記載の情報処理装置において、
前記広告表示制御手段は、前記表示手段に表示される前記第１ページ及び前記第２ページの両方に所定の広告を表示させることを特徴とする。
【０００８】
請求項３に記載の発明は、請求項１又は２に記載の情報処理装置において、
前記関連画像は、動画であって、
前記関連画像表示制御手段は、所定の条件を満たす場合に、前記関連画像の動作を変化させることを特徴とする。
【０００９】
請求項４に記載の発明は、請求項１〜３のいずれか一項に記載の情報処理装置において、
前記広告表示制御手段は、前記表示手段に表示される第１ページ及び第２ページの少なくとも一方に所定の複数の広告を表示させ、
前記関連画像表示制御手段は、前記広告表示制御手段により表示される複数の広告のそれぞれと関連する複数の関連画像を表示させることを特徴とする。
【００１０】
請求項５に記載の発明は、
情報処理装置の情報処理方法であって、
表示手段に表示されるページに所定の広告を表示させるステップと、
第１ページが表示された状態で次の第２ページの取得要求を検出するステップと、
前記取得要求が検出された前記第２ページを取得するステップと、
前記第２ページを読み込み中、前記第１ページ及び第２ページの少なくとも一方に前記表示される所定の広告と関連する関連画像を前記表示手段に表示させるステップと、
を含み、
前記関連画像は、前記所定の広告と異なる画像であることを特徴とする。
【００１１】
請求項６に記載の発明は、
コンピュータを、
表示手段に表示されるページに所定の広告を表示させる広告表示制御手段、
第１ページが表示された状態で次の第２ページの取得要求を検出する検出手段、
前記検出手段により取得要求が検出された前記第２ページを取得する取得手段、
前記取得手段により前記第２ページを読み込み中、前記第１ページ及び第２ページの少なくとも一方に前記広告表示制御手段により表示される所定の広告と関連する関連画像を前記表示手段に表示させる関連画像表示制御手段、
として機能させ、
前記関連画像は、前記所定の広告と異なる画像であることを特徴とするプログラムである。
【発明の効果】
【００１２】
本発明によれば、ユーザの興味や関心を引き付けて広告効果を向上させることができる。
【図面の簡単な説明】
【００１３】
【図１】本実施形態に係る情報処理システムを構成する各装置の主制御構成を示すブロック図である。
【図２】本実施形態に係る端末装置の動作の一例を示すフローチャートである。
【図３】ストリームＵＩのウェブページのページデータが表示部に表示される様子の一例を示す図である。
【図４】第１ページデータが表示部の下端に到達した様子の一例を示す図である。
【図５】広告を含む第２ページデータの一例を示す図である。
【図６】第２ページデータを読み込み中に表示されるアニメーション画像の一例を示す図である。
【図７】第２ページデータが表示部に表示される様子の一例を示す図である。
【発明を実施するための形態】
【００１４】
以下、本発明の実施の形態について、図面を参照して詳細に説明する。
【００１５】
［１．構成の説明］
以下、図面を参照しながら、この発明の一実施形態について詳しく説明する。
［１−１．システム構成の説明］
まず、本実施形態に係る情報処理システム１の構成について説明する。
情報処理システム１は、図１に示すように、サーバ装置１０と、情報処理装置としての端末装置２０と、を備えて構成されている。情報処理システム１の各装置は、通信ネットワークＮに接続される。通信ネットワークＮは、具体的には、インターネットや電気通信事業者等の電話回線網や携帯電話通信網等である。
【００１６】
サーバ装置１０は、例えば、ＰＣ、ＷＳ（Work Station）等の情報機器であり、端末装置２０からのアクセスに応じて、所定の動作を行う。具体的には、サーバ装置１０は、端末装置２０から所望のウェブページの要求がなされると、要求元の端末装置２０に対象のページデータを送信するウェブサーバである。サーバ装置１０は、通常のウェブページ及びストリームＵＩ（User Interface）のウェブページのいずれも提供可能であるものとする。サーバ装置１０は、１台で構成されるものとするが、これに限定されるものではなく、複数台の装置から構成されるものとしてもよい。
【００１７】
端末装置２０は、スマートフォンやタブレットなどのスマートデバイス、携帯電話機等の各ユーザが所持して使用する携帯端末である。但し、端末装置２０は、デスクトップＰＣ等の据え置き型の端末装置としてもよい。端末装置２０は、通信ネットワークＮ（具体的には、端末装置２０は、の通信回線や無線ＬＡＮ（Local Area Network）等）を用いて、サーバ装置１０との間で相互に通信を行う。
【００１８】
［１−２．サーバ装置の構成の説明］
次に、サーバ装置１０の構成について説明する。
サーバ装置１０は、制御部１１と、操作部１２と、表示部１３と、記憶部１４と、通信部１５と、を備えて構成されている。
【００１９】
制御部１１は、サーバ装置１０の動作を中央制御する。具体的には、制御部１１は、ＣＰＵ、ＲＯＭ、ＲＡＭなどを備えて構成され、ＲＡＭの作業領域に展開されたＲＯＭや記憶部１４に記憶されたプログラムデータとＣＰＵとの協働により、サーバ装置１０の各部を統括制御する。
【００２０】
操作部１２は、例えば、文字入力キー、数字入力キー、その他各種機能に対応付けられたキーなどを有するキーボード、マウス等のポインティングデバイスなどを備え、ユーザからの操作入力を受け付けて、操作入力に応じた操作信号を制御部１１へと出力する。
表示部１３は、例えば、ＬＣＤ（Liquid Crystal Display）などのディスプレイを備え、制御部１１から出力された表示制御信号に基づいた画像を表示画面に表示する。
【００２１】
記憶部１４は、例えば、ＨＤＤ（Hard Disk Drive）、半導体メモリなどにより構成され、プログラムデータや各種設定データ等のデータを制御部１１から読み書き可能に記憶する。
【００２２】
通信部１５は、通信用ＩＣ（Integrated Circuit）及び通信コネクタなどを有する通信インターフェイスであり、制御部１１の制御の下、所定の通信プロトコルを用いて通信ネットワークＮを介したデータ通信を行う。例えば、通信部１５は、端末装置２０から指定されたウェブページ等を、端末装置２０に送信する。
【００２３】
［１−３．端末装置の構成の説明］
次に、端末装置２０の構成について説明する。
端末装置２０は、制御部２１と、操作部２２と、表示部２３と、記憶部２４と、通信部２５と、を備えて構成されている。
【００２４】
制御部２１は、端末装置２０の動作を中央制御する。具体的には、制御部２１は、ＣＰＵ、ＲＯＭ、ＲＡＭなどを備えて構成され、ＲＡＭの作業領域に展開されたＲＯＭや記憶部２４に記憶されたプログラムデータとＣＰＵとの協働により、端末装置２０の各部を統括制御する。
【００２５】
操作部２２は、例えば、ホームボタン等からなるキー入力部と、表示部２３と一体的に形成されたタッチパネルと、を備え、ユーザからの操作入力を受け付けて、操作入力に応じた操作信号を制御部２１へと出力する。
表示部（表示手段）２３は、例えば、ＬＣＤ、有機ＥＬ（Electro Luminescence）素子を用いたＦＰＤ（Flat Panel Display）などのディスプレイを備え、制御部２１から出力された表示制御信号に基づいた画像を表示画面に表示する。例えば、表示部２３は、ウェブブラウザが起動されると、サーバ装置１から送信されたウェブページを表示する。
【００２６】
記憶部２４は、例えば、ＨＤＤ、半導体メモリなどにより構成され、プログラムデータや各種設定データ等のデータを制御部２１から読み書き可能に記憶する。
【００２７】
通信部２５は、アンテナや通信回路を備え、制御部２１による制御の下で外部機器との間の無線通信を行う。具体的には、通信部２５は、基地局で中継されることで、通信ネットワークＮを介してデータ通信を行う。例えば、通信部２５は、サーバ装置１０の通信部１５から送信されたウェブページ等を受信する。
【００２８】
［２．動作の説明］
次に、本実施形態に係る端末装置２０の具体的な動作について、図２のフローチャートを参照して説明する。
以下、ウェブページ上の複数のコンテンツを縦方向に所定数順次表示し、所定の操作に基づいて残りのコンテンツを所定数読み込み、最下段のコンテンツに続いて読み込んだコンテンツを下方向に追加して表示するストリームＵＩで次のウェブページを読み込み中、次のウェブページに含まれる広告と関連する画像を表示部２３に表示させ、読み込み完了後に次のウェブページを表示させる処理について説明する。この処理は、ユーザがウェブブラウザを起動して、ストリームＵＩのウェブページの閲覧を開始した場合に行われる。この処理は、専用のアプリにより実現することもできるし、処理内容をＪａｖａＳｃｒｉｐｔ（登録商標）などのスクリプトで記述しておくことにより実現することもできる。
なお、図３は、ストリームＵＩの第１ウェブページの第１ページデータＰ１が表示部２３に表示される様子の一例を示す図である。本実施形態では、第１ページデータＰ１は、例えば、コンテンツＣ１〜Ｃ８を含んで構成され、第１ページデータＰ１の最後のコンテンツがコンテンツＣ８であるものとする。
【００２９】
まず、端末装置２０の制御部２１は、表示部２３に表示されている第１ページデータＰ１の下端に到達したか否かを判定する（ステップＳ１）。具体的には、制御部２１は、ユーザによる上方へのスクロール操作により、第１ページデータＰ１の下端が表示部２３の下端に表示された場合に、第１ページデータＰ１の下端に到達したと判定する（図４参照）。なお、厳密には第１ページデータＰ１の下端でなくてもよく、第１ページデータＰ１の下端近傍が表示された場合に、第１ページデータＰ１の下端に到達したと判定するようにしてもよい。
第１ページデータＰ１の下端に到達したと判定した場合（ステップＳ１：ＹＥＳ）は、次の第２ウェブページの第２ページデータの取得要求を検出したと判定し、次のステップＳ２へと移行する。即ち、制御部２１は、本発明の検出手段として機能する。
一方、第１ページデータＰ１の下端に到達していないと判定した場合（ステップＳ１：ＮＯ）は、第１ページデータＰ１の下端に到達するまでステップＳ１の処理を繰り返す。
【００３０】
次に、制御部２１は、第２ウェブページの第２ページデータＰ２の取得要求を、サーバ装置１０に送信する（ステップＳ２）。ステップＳ２の処理を契機として、第２ページデータＰ２が取得されることとなる。即ち、制御部２１は、本発明の取得手段として機能する。
その後、サーバ装置１０において、制御部１１の制御により、ステップＳ２で送信された取得要求に基づいて、第２ページデータＰ２が抽出される。第２ページデータＰ２は、図５に示すように、例えば、コンテンツＤ１〜Ｄ７を含んで構成され、第２ページデータＰ２の最初のコンテンツがコンテンツＤ１であるものとする。また、第２ページデータＰ２の所定の位置には、所定の広告Ａ１が配置されている。本実施形態では、「母の日」のプレゼントを特集する広告Ａ１が配置されている。所定の位置は予め設定されており、本実施形態では、第２ページデータＰ２の最初のコンテンツＤ１の２つ後に表示される位置、即ち、第２ページデータＰ２の３番目に表示される位置に設定されている。なお、所定の位置は上記例に限られるものではなく、任意の位置に設定することができる。
そして、制御部１１は、抽出された次の第２ページデータＰ２を、端末装置２０に送信する。
【００３１】
次に、制御部２１は、表示部２３の所定の位置に関連画像としてのアニメーション画像Ｇ１を表示させる（ステップＳ３）。このステップＳ３の処理は、ステップＳ２で次の第２ページデータＰ２の取得要求がサーバ装置１０に送信されると同時に行われる。なお、ステップＳ２の処理の後にステップＳ３の処理が行われるようにしてもよいし、ステップＳ３の処理の後にステップＳ２の処理が行われるようにしてもよい。
例えば、本実施形態では、アニメーション画像Ｇ１は、図６に示すように、表示部２３の下端の位置に表示される。なお、アニメーション画像Ｇ１を表示させる位置は、表示部２３の下端に限られず、表示部２３のいずれの位置であってもよい。ここで、アニメーション画像Ｇ１は、第１ページデータＰ１の取得時に、同時に取得され、記憶部１４又はＲＡＭ等に記憶される。アニメーション画像Ｇ１は、第２ページデータＰ２に含まれる広告Ａ１と関連する画像であり、本実施形態では、「母の日」と関連する「花束」の画像である。このアニメーション画像Ｇ１は、第２ページデータＰ２を読み込み中、左右に回転しながら表示されるようになっている。
即ち、制御部２１は、取得手段により第２ウェブページ（第２ページデータＰ２）を読み込み中、第１ウェブページ及び第２ウェブページの少なくとも一方に広告Ａ１と関連する関連画像（アニメーション画像Ｇ１）を表示部２３に表示させる関連画像表示制御手段として機能する。
【００３２】
次に、制御部２１は、サーバ装置１０から送信された第２ページデータＰ２の受信が完了したか否かを判定する（ステップＳ４）。
第２ページデータＰ２の受信が完了したと判定した場合（ステップＳ４：ＹＥＳ）は、次のステップＳ４へと移行する。
一方、第２ページデータＰ２の受信が完了していないと判定した場合（ステップＳ４：ＮＯ）は、第２ページデータＰ２の受信が完了するまでステップＳ４の処理を繰り返す。
【００３３】
次に、制御部２１は、受信した第２ページデータＰ２を表示部２３に表示させる（ステップＳ５）。第２ページデータＰ２の所定の位置には、図７に示すように、「母の日」のプレゼントを特集する広告Ａ１が配置されている。
即ち、制御部２１は、本発明の広告表示制御手段として機能する。
【００３４】
［３．効果］
以上のように、本実施形態に係る情報処理装置としての端末装置２０は、表示手段（表示部２３）に表示されるウェブページに所定の広告を表示させる広告表示制御手段（制御部２１）と、第１ウェブページが表示された状態で次の第２ウェブページの取得要求を検出する検出手段（制御部２１）と、検出手段により取得要求が検出された第２ウェブページを取得する取得手段（制御部２１）と、取得手段により第２ウェブページを読み込み中、第１ウェブページ及び第２ウェブページの少なくとも一方に広告表示制御手段により表示される所定の広告と関連する関連画像を表示手段に表示させる関連画像表示制御手段（制御部２１）と、を備える。
従って、本実施形態に係る端末装置２０によれば、ユーザに見せたい広告を含むウェブページを読み込み中の待機時間に、当該広告と関連する関連画像を表示部２３に表示させることで、前もってユーザに広告と関連する情報を印象付けておくことができるので、ページ遷移後に表示される広告を認知させ易く、ユーザの興味や関心を引き付けて広告効果を向上させることができる。
【００３５】
以上、本発明に係る実施形態に基づいて具体的に説明したが、本発明は上記実施形態に限定されるものではなく、その要旨を逸脱しない範囲で変更可能である。
【００３６】
例えば、上記実施形態では、第２ページデータＰ２を読み込み中に、第２ページデータＰ２に含まれる広告Ａ１と関連するアニメーション画像Ｇ１を表示させるようにしているが、これに限定されるものではない。即ち、第２ページデータＰ２を読み込む前に表示されていた第１ページデータＰ１及び第２ページデータＰ２の少なくとも一方に所定の広告を表示させるものであればよく、例えば、第１ページデータＰ１に広告Ａ１を配置して表示部２３に表示させた後、第２ページデータＰ２を読み込み中に、当該広告Ａ１と関連するアニメーション画像Ｇ１を表示させるようにしてもよい。
この場合、広告Ａ１を視認したユーザに対して、第２ページデータＰ２を読み込み中、広告Ａ１と関連する関連画像（アニメーション画像Ｇ１）を表示させることで、広告Ａ１を印象付けることができ、実施形態と同様、ユーザの興味や関心を引き付けて広告効果を向上させることができる。
【００３７】
また、第１ページデータＰ１及び第２ページデータＰ２の両方に広告（第１の広告及び第２の広告）を表示させるようにしてもよい。
具体的には、まず、第１の広告が所定の位置に配置された第１ページデータＰ１を表示部２３に表示させる。次いで、第２ページデータＰ２の取得要求を検出した場合、第２ページデータＰ２を読み込むとともに、当該読み込み中、第１の広告及び第２ページデータＰ２に含まれる第２の広告と関連するアニメーション画像を表示部２３に表示させる。次いで、読み込みが完了した第２ページデータＰ２を表示部２３に表示させる。
特に、第１の広告と第２の広告とを連続性のある広告とし、第１の広告で連続性のある広告の最初の数秒間のみを表示させるようにし、続きを第２の広告で表示させるようにすれば、ユーザの興味や関心を強く引いてより効果的である。なお、第１の広告と第２の広告とは、同一のものであってもよい。
これにより、第１の広告を視認したユーザに対して、第２ページデータＰ２を読み込み中、第１の広告及び第２ページデータＰ２に含まれる第２の広告と関連する関連画像（アニメーション画像）を表示させることで、第１の広告を印象付けるとともに、前もってユーザに第２の広告と関連する情報を印象付けておくことができるので、ページ遷移後に表示される第２の広告を認知させ易く、ユーザに対してより強く訴求することができることとなり、広告効果をより向上させることができる。
【００３８】
また、上記実施形態では、広告表示制御手段により表示される所定の広告として「母の日」のプレゼントを特集する広告Ａ１を例示し、所定の広告と関連する画像として「母の日」と関連する「花束」のアニメーション画像Ｇ１を例示し、このアニメーション画像Ｇ１を左右に回転させながら表示するようにしているが、これに限定されるものではない。
例えば、所定の条件を満たす場合に、表示させるアニメーション画像の動作（挙動）を変化させるようにしてもよい。ここで、所定の条件を満たす場合とは、例えば、第２ウェブページの表示回数が所定回数以上である場合、第２ウェブページで過去に視線が検出された場合、第２ウェブページで過去にタップ操作が検出された場合などが挙げられる。
動作を変化させる一例として、例えば、同日中に或るウェブページが複数回（ここでは３回）表示された場合に、１回目に表示されたときにはアニメーション画像Ｇ１を右回りで回転させ、２回目に表示されたときにはアニメーション画像Ｇ１を左回りで回転させ、３回目に表示されたときにはアニメーション画像Ｇ１を上下に弾むように表示させる等、表示された回数毎に挙動を変化させるようにしてもよい。
これにより、特に、同日中に或るウェブページが複数回表示された場合など、同一のアニメーション画像Ｇ１が複数回表示されるケースであっても、アニメーション画像Ｇ１の動作を変化させることでユーザに対して常に新鮮味を提供することができるので、ユーザの興趣性を高めて広告効果を向上させることができる。
【００３９】
また、上記実施形態では、第２ページデータＰ２を読み込み中、一のアニメーション画像Ｇ１を表示部２３に表示させるようにしているが、これに限定されるものではない。例えば、第２ページデータＰ２で表示させる広告を複数用意して、第２ページデータＰ２を読み込み中、各広告に対応するアニメーション画像を並べて表示させるようにしてもよい。
これにより、前もってユーザに複数の広告と関連する各情報を印象付けておくことができるので、ページ遷移後に表示される複数の広告を認知させ易く、ユーザの興味や関心を引き付けて複数の広告に対する広告効果を向上させることができる。
また、上記の場合において、例えば、ユーザが第２ページデータＰ２で表示された広告のうち或る広告をタップ操作して当該タップ操作された広告のランディングページを表示させた場合であって、第２ページデータＰ２が再度読み込まれる場合、この第２ページデータＰ２を読み込み中に表示される、当該タップ操作された広告に対応するアニメーション画像の色を変える等、当該タップ操作された広告のランディングページを訪問済みであることを識別可能とするための制御を行うようにしてもよい。
これにより、第２ページデータＰ２で表示される複数の広告に関してランディングページを訪問済みであるか否かを一目で判別することができるので、既に訪問したランディングページを再度訪問する無駄を排除して、他の広告をユーザに閲覧させることができ、ＣＴＲ（Click Through Rate）を向上させることができる。また、表示される全てのアニメーション画像を変化させたいというユーザの欲求を刺激することができるので、結果的にスタンプラリー感覚でユーザが未だ訪問していないランディングページへの訪問を促すことができ、広告効果を向上させることができる。
【００４０】
また、上記実施形態では、第２ページデータＰ２を読み込み中に、第２ページデータＰ２に含まれる広告Ａ１と関連するアニメーション画像Ｇ１を表示させるようにしているが、これに限定されるものではない。即ち、表示させる画像は、広告Ａ１と関連する画像であればいかなる画像であってもよく、例えば、静止画であってもよい。
【００４１】
また、上記実施形態では、ストリームＵＩのウェブページを閲覧する場合を例示して説明しているが、これに限定されるものではない。例えば、ページ単位でウェブページを遷移させるページ遷移型のウェブページを閲覧する場合に適用することも可能である。
ページ遷移型のウェブページを閲覧する場合、表示部２３に表示されたウェブページ内の第２ウェブページへと遷移させるリンクがユーザによりタップ操作又はクリック操作されたことを検出すると、第２ウェブページを読み込んで遷移させる。第２ウェブページを読み込み中、第２ウェブページに含まれる広告と関連するアニメーション画像を表示させ、読み込み完了後に第２ウェブページを表示させる。
【００４２】
また、上記実施形態では、端末装置２０を本発明の情報処理装置として説明したが、サーバ装置１０を本発明の情報処理装置とすることも可能である。
この場合、サーバ装置１０の制御部１１は、所定の広告が配置されたウェブページを送信することで、本発明の広告表示制御手段として機能する。
また、制御部１１は、端末装置２０の制御部２１が検出した第２ウェブページの取得要求を受信することで、本発明の検出手段として機能する。
また、制御部１１は、検出手段により取得要求が検出された第２ウェブページを取得する本発明の取得手段として機能する。
また、制御部１１は、取得手段により第２ウェブページを読み込み中、広告表示制御手段により表示される所定の広告と関連する関連画像を表示部２３に表示させるための情報を端末装置２０に送信することで、本発明の関連画像表示制御手段として機能する。
なお、広告表示制御手段、検出手段、取得手段、関連画像表示制御手段のうちいずれかの機能をサーバ装置１０で実現し、残りの機能を端末装置２０で実現することも可能である。
【００４３】
また、本出願に示す各態様は、方法、プログラムなどとしても把握することができる。方法やプログラムのカテゴリについては、装置のカテゴリで示した「手段」を、例えば、「工程」や「ステップ」のように適宜読み替えるものとする。また、処理やステップの順序は、本出願に直接明記のものに限定されず、順序を変更したり、一部の処理をまとめて若しくは随時一部分ずつ実行するよう変更したりすることができる。
【００４４】
その他、サーバ装置及び端末装置を構成する各装置の細部構成及び各装置の細部動作に関しても、本発明の趣旨を逸脱することのない範囲で適宜変更可能である。
【符号の説明】
【００４５】
１  情報処理システム
１０  サーバ装置
１１  制御部
１２  操作部
１３  表示部
１４  記憶部
１５  通信部
２０  端末装置（情報処理装置）
２１  制御部（広告表示制御手段、検出手段、取得手段、関連画像表示制御手段）
２２  操作部
２３  表示部（表示手段）
２４  記憶部
２５  通信部
【図１】
0006559196.tif 000002
【図２】
0006559196.tif 000003
【図３】
0006559196.tif 000004
【図４】
0006559196.tif 000005
【図５】
0006559196.tif 000006
【図６】
0006559196.tif 000007
【図７】
0006559196.tif 000008